【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信に関する方法であって、
１つまたは複数のユーザ機器（ＵＥ）によるセル捕捉を支援するための１つまたは複数の機会を決定することと、および
前記決定された１つまたは複数の機会の間に、セル捕捉に関して使用される１つまたは複数の信号のための送信電力をブーストすることと
を備え、
セル捕捉に関して使用される前記１つまたは複数の信号の前記送信電力をブーストするために、前記決定された１つまたは複数の機会の間に、物理ダウンリンクの共有チャネル（ＰＤＳＣＨ）の割当ての数を低減すること、
を備えることを特徴とする、方法。
【請求項２】
前記決定は、前記１つまたは複数のＵＥの間欠受信（ＤＲＸ）構成の、前記基地局による、知識に基づく、請求項１に記載の方法。
【請求項３】
前記１つまたは複数のＵＥのアウェイクサイクルを整合させる努力において、前記１つまたは複数のＵＥのＤＲＸ構成を構成すること
をさらに備える、請求項２に記載の方法。
【請求項４】
前記１つまたは複数のＵＥに、前記決定された１つまたは複数の機会に関する情報を告知すること
をさらに備える、請求項１に記載の方法。
【請求項５】
前記決定された１つまたは複数の機会に関する前記情報は、システム情報のブロードキャストを介して告知される、請求項４に記載の方法。
【請求項６】
前記送信電力をブーストすることは、利用可能なシステム帯域幅の中心帯域幅領域に利用可能な送信電力を割り振ることを備える、請求項１に記載の方法。
【請求項７】
前記１つまたは複数の信号は、１次同期信号（ＰＳＳ）、２次同期信号（ＳＳＳ）、または物理ブロードキャストチャネル（ＰＢＣＨ）信号のうちの少なくとも１つを備える、請求項１に記載の方法。
【請求項８】
前記決定された１つまたは複数の機会の間に、前記１つまたは複数の信号のための前記送信電力をブーストしながら、全システム帯域幅にわたって前記１つまたは複数の信号とは異なる１つまたは複数の第２の信号を送信することをさらに備える、請求項１に記載の方法。
【請求項９】
ワイヤレス通信に関する装置であって、
１つまたは複数のユーザ機器（ＵＥ）によるセル捕捉を支援するための１つまたは複数の機会を決定するための手段と、および
前記決定された１つまたは複数の機会の間に、セル捕捉に関して使用される１つまたは複数の信号のための送信電力をブーストするための手段と
を備え、
セル捕捉に関して使用される前記１つまたは複数の信号の前記送信電力をブーストするために、前記決定された１つまたは複数の機会の間に、物理ダウンリンクの共有チャネル（ＰＤＳＣＨ）の割当ての数を低減するための手段
を備えることを特徴とする、装置。
【請求項１０】
決定するための前記手段は、前記１つまたは複数のＵＥの間欠受信（ＤＲＸ）構成の、前記基地局による、知識に基づいて決定する、請求項９に記載の装置。
【請求項１１】
前記１つまたは複数のＵＥのアウェイクサイクルを整合させる努力において、前記１つまたは複数のＵＥのＤＲＸ構成を構成するための手段
をさらに備える、請求項１０に記載の装置。
【請求項１２】
前記送信電力をブーストするための手段は、利用可能なシステム帯域幅の中心帯域幅領域に利用可能な送信電力を割り振るための手段を備える、請求項９に記載の装置。
【請求項１３】
コンピュータ可読媒体であって、コンピュータによって実行されるとき、前記コンピュータに、請求項１乃至８のいずれか１つの前記方法を実行させる命令を備える、コンピュータ可読媒体。
【手続補正２】
【補正対象書類名】明細書
【補正対象項目名】００９９
【補正方法】変更
【補正の内容】
【００９９】
[0108]本開示の以上の記述は、いかなる当業者も本開示を作成または使用することができるように与えられる。本開示への様々な変更は当業者に容易に明らかであり、および本明細書で定義された一般原理は、本開示の趣旨または範囲から逸脱することなく他の変形形態に適用され得る。したがって、本開示は、本明細書で記述された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
基地局（ＢＳ）によるワイヤレス通信に関する方法であって、
１つまたは複数のユーザ機器（ＵＥ）によるセル捕捉を支援するための１つまたは複数の機会を決定することと、および
前記決定された１つまたは複数の機会の間に、セル捕捉に関して使用される１つまたは複数の信号のための送信電力をブーストすることと
を備える、方法。
［Ｃ２］
前記決定は、前記１つまたは複数のＵＥの間欠受信（ＤＲＸ）構成の、前記基地局による、知識に基づく、Ｃ１に記載の方法。
［Ｃ３］
前記１つまたは複数のＵＥのアウェイクサイクルを整合させる努力において、前記１つまたは複数のＵＥのＤＲＸ構成を構成すること
をさらに備える、Ｃ２に記載の方法。
［Ｃ４］
前記１つまたは複数のＵＥに、前記決定された１つまたは複数の機会に関する情報を告知すること
をさらに備える、Ｃ１に記載の方法。
［Ｃ５］
前記決定された１つまたは複数の機会に関する前記情報は、システム情報のブロードキャストを介して告知される、Ｃ４に記載の方法。
［Ｃ６］
前記送信電力をブーストすることは、利用可能なシステム帯域幅の中心帯域幅領域に利用可能な送信電力を割り振ることを備える、Ｃ１に記載の方法。
［Ｃ７］
セル捕捉に関して使用される前記１つまたは複数の信号の前記送信電力をブーストするために、前記決定された１つまたは複数の機会の間に、物理ダウンリンクの共有チャネル（ＰＤＳＣＨ）の割当ての数を低減することをさらに備える、Ｃ１に記載の方法。
［Ｃ８］
前記１つまたは複数の信号は、１次同期信号（ＰＳＳ）、２次同期信号（ＳＳＳ）、または物理ブロードキャストチャネル（ＰＢＣＨ）のうちの少なくとも１つを備える、Ｃ１に記載の方法。
［Ｃ９］
ユーザ機器（ＵＥ）によるワイヤレス通信に関する方法であって、
基地局によって送信された１つまたは複数の信号に基づいて、セル捕捉を実行するために第１の低電力状態を出ることと、および
前記セル捕捉を実行するときに捕捉時間を低減するための１つまたは複数の行動をとることと
を備える、方法。
［Ｃ１０］
前記１つまたは複数の信号はブーストされた送信電力を用いて送信される複数の機会に関する情報をもつ告知を受信すること
をさらに備え、および
ここにおいて、前記１つまたは複数の行動をとることは、前記告知における前記情報に基づいて、前記第１の低電力状態を出ることを調整することを備える、Ｃ９に記載の方法。
［Ｃ１１］
前記複数の告知された機会のうちの１つの間にすでに実行されたセル捕捉に基づいて、１つまたは複数の信号を監視するために第２の低電力状態を出ること
をさらに備える、Ｃ１０に記載の方法。
［Ｃ１２］
前記１つまたは複数の行動をとることは、複数の同期信号の低減されたセットを監視しながらセル捕捉を実行することを備え、ここにおいて、前記低減されたセットは、あらかじめ決定されたセルＩＤに少なくとも部分的に基づく、Ｃ９に記載の方法。
［Ｃ１３］
複数の同期信号の前記低減されたセットを監視することは、前記あらかじめ決定されたセルＩＤに対応する１次同期信号（ＰＳＳ）および２次同期信号（ＳＳＳ）のタイミングを探索することを備える、Ｃ１２に記載の方法。
［Ｃ１４］
前記１つまたは複数の行動をとることは、
１つまたは複数の信号品質の測定値に基づいて前記セル捕捉を終了することと、および
前記セル捕捉を終了した後に前記第１の低電力状態に戻ることと
を備える、Ｃ９に記載の方法。
［Ｃ１５］
前記１つまたは複数の信号は、１次同期信号（ＰＳＳ）、２次同期信号（ＳＳＳ）、または物理ブロードキャストチャネル（ＰＢＣＨ）のうちの少なくとも１つを備える、Ｃ９に記載の方法。
［Ｃ１６］
ワイヤレス通信に関する装置であって、
１つまたは複数のユーザ機器（ＵＥ）によるセル捕捉を支援するための１つまたは複数の機会を決定するための手段と、および
前記決定された１つまたは複数の機会の間に、セル捕捉に関して使用される１つまたは複数の信号のための送信電力をブーストするための手段と
を備える、装置。
［Ｃ１７］
決定するための前記手段は、前記１つまたは複数のＵＥの間欠受信（ＤＲＸ）構成の、前記基地局による、知識に基づいて決定する、Ｃ１６に記載の装置。
［Ｃ１８］
前記１つまたは複数のＵＥのアウェイクサイクルを整合させる努力において、前記１つまたは複数のＵＥのＤＲＸ構成を構成するための手段
をさらに備える、Ｃ１７に記載の装置。
［Ｃ１９］
前記１つまたは複数のＵＥに、前記決定された１つまたは複数の機会に関する情報を告知するための手段
をさらに備える、Ｃ１６に記載の装置。
［Ｃ２０］
前記決定された１つまたは複数の機会に関する前記情報は、システム情報のブロードキャストを介して告知される、Ｃ１９に記載の装置。
［Ｃ２１］
前記送信電力をブーストするための手段は、利用可能なシステム帯域幅の中心帯域幅領域に利用可能な送信電力を割り振るための手段を備える、Ｃ１６に記載の装置。
［Ｃ２２］
セル捕捉に関して使用される前記１つまたは複数の信号の前記送信電力をブーストするために、前記決定された１つまたは複数の機会の間に、物理ダウンリンクの共有チャネル（ＰＤＳＣＨ）の割当ての数を低減するための手段をさらに備える、Ｃ１６に記載の装置。
［Ｃ２３］
前記１つまたは複数の信号は、１次同期信号（ＰＳＳ）、２次同期信号（ＳＳＳ）、または物理ブロードキャストチャネル（ＰＢＣＨ）のうちの少なくとも１つを備える、Ｃ１６に記載の装置。
［Ｃ２４］
ワイヤレス通信に関する装置であって、
基地局によって送信された１つまたは複数の信号に基づいて、セル捕捉を実行するために第１の低電力状態を出るための手段と、および
前記セル捕捉を実行するときに捕捉時間を低減するための１つまたは複数の行動をとるための手段と
を備える、装置。
［Ｃ２５］
前記１つまたは複数の信号は、ブーストされた送信電力を用いて送信される複数の機会に関する情報をもつ告知を受信するための手段
をさらに備え、および
ここにおいて、前記１つまたは複数の行動をとるための前記手段は、前記告知における前記情報に基づいて、前記第１の低電力状態を出ることを調整するための手段を備える、Ｃ２４に記載の装置。
［Ｃ２６］
前記複数の告知された機会のうちの１つの間にすでに実行されたセル捕捉に基づいて、１つまたは複数の信号を監視するために第２の低電力状態を出るための手段
をさらに備える、Ｃ２５に記載の装置。
［Ｃ２７］
前記１つまたは複数の行動をとるための前記手段は、複数の同期信号の低減されたセットを監視しながらセル捕捉を実行するための手段を備え、ここにおいて、前記低減されたセットは、あらかじめ決定されたセルＩＤに少なくとも部分的に基づく、Ｃ２４に記載の装置。
［Ｃ２８］
複数の同期信号の前記低減されたセットを監視することは、前記あらかじめ決定されたセルＩＤに対応する１次同期信号（ＰＳＳ）および２次同期信号（ＳＳＳ）のタイミングを探索するための手段を備える、Ｃ２７に記載の装置。
［Ｃ２９］
前記１つまたは複数の行動をとるための前記手段は、
１つまたは複数の信号品質の測定値に基づいて前記セル捕捉を終了するための手段と、および
前記セル捕捉を終了した後に前記第１の低電力状態に戻るための手段と
を備える、Ｃ２４に記載の装置。
［Ｃ３０］
前記１つまたは複数の信号は、１次同期信号（ＰＳＳ）、２次同期信号（ＳＳＳ）、または物理ブロードキャストチャネル（ＰＢＣＨ）のうちの少なくとも１つを備える、Ｃ２４に記載の装置。